【手続補正書】
【提出日】平成25年6月12日(2013.6.12)
【手続補正１】
【補正対象書類名】特許請求の範囲
【補正対象項目名】全文
【補正方法】変更
【補正の内容】
【特許請求の範囲】
【請求項１】
睡眠呼吸障害を治療するためのマスクシステムであって、
シェルおよびクッションからなるユニットであるとともに、クッション部分と、シェル部分と、を備え、前記クッション部分が、２つの壁と、患者の顔面に対してシールを形成し得るよう構成された顔面接触部分によって囲まれた後方開口と、を有し、前記顔面接触部分が、鼻ブリッジ領域と、この鼻ブリッジ領域から延出された側方領域と、を有し、前記シェル部分が、前記クッション部分とは反対側において中央に配置された前方開口と、この前方開口に隣接して配置されて呼吸用空間の内部に向かう向きとされた突起と、を有し、シェルおよびクッションからなるユニットが、前記呼吸用空間を形成する単一の一体部材とされた、シェルおよびクッションからなるユニットと；
丸められたコーナーを有したい三角形状の硬いフレームであるとともに、このフレームが、シェルおよびクッションからなる前記ユニットの前記シェル部分に対して係合し、このフレームが、少なくとも１つの開口を有し、これにより、前記シェル部分の少なくとも一部を、カバーしないものとされ、このフレームが、シェルおよびクッションからなる前記ユニットに対して位置決めされて固定された、フレームと；
環状フランジを備えたリング形状部材であるとともに、少なくとも一部が、シェルおよびクッションからなる前記ユニットの前記前方開口に対して隣接しているリング形状部材と；
第１端部および第２端部を有した回転可能なエルボーであるとともに、前記第１端部が、前記リング形状部材に対して回転可能に係合し、前記第１端部が、シェルおよびクッションからなる前記ユニットに対して回転可能に係合し、前記第１端部の一部が、前記リング形状部材を通して前記リング形状部材を超えて延在し、前記シェル部分の前記突起に対して係合する、エルボーと；
前記回転可能なエルボーの前記第２端部に設けられた回り継手であるとともに、この回り継手が、エア供給導管に対して係合し得るよう構成された、回り継手と；
シェルおよびクッションからなる前記ユニットを使用者の顔面に対して支持するためのヘッドギアと；
前記フレーム上に形成された複数のヘッドギア取付ポイントであるとともに、前記フレームの第１側部に設けられた第１ヘッドギア取付ポイントと、前記フレームの第２側部に設けられた第２ヘッドギア取付ポイントと、を備え、これにより、前記シェル部分の前記前方開口が、前記第１ヘッドギア取付ポイントと前記第２ヘッドギア取付ポイントとの間に位置決めされる、複数のヘッドギア取付ポイントと；
を具備していることを特徴とするマスクシステム。
【請求項２】
請求項１記載のマスクシステムにおいて、
前記ヘッドギアが、複数の層からなる一体部材とされていることを特徴とするマスクシステム。
【請求項３】
請求項１または２記載のマスクシステムにおいて、
前記エルボーが、このエルボーの前記第１端部とこのエルボーの前記第２端部との間において９０°という曲がりを形成していることを特徴とするマスクシステム。
【請求項４】
請求項１〜３のいずれか１項に記載のマスクシステムにおいて、
前記第１ヘッドギア取付ポイントおよび前記第２ヘッドギア取付ポイントが、前記フレームの前記丸められたコーナーよりも基端側に位置していることを特徴とするマスクシステム。
【請求項５】
請求項１〜４のいずれか１項に記載のマスクシステムにおいて、
前記リング形状部材および前記フレームが、互いに同じ材料から形成されていることを特徴とするマスクシステム。
【請求項６】
請求項１〜５のいずれか１項に記載のマスクシステムにおいて、
前記エルボーが、ポリカーボネートから形成されていることを特徴とするマスクシステム。
【請求項７】
請求項１〜６のいずれか１項に記載のマスクシステムにおいて、
前記リング形状部材と、前記エルボーと、前記フレームとが、ポリカーボネートから形成されていることを特徴とするマスクシステム。
【請求項８】
請求項１〜７のいずれか１項に記載のマスクシステムにおいて、
シェルおよびクッションからなる前記ユニットが、連続した後方フランジと、連続した前方フランジと、これら後方フランジと前方フランジとの間に延在する連続したチャネルと、を有していることを特徴とするマスクシステム。
【請求項９】
請求項８記載のマスクシステムにおいて、
前記フレームの後方部分の形状が、前記後方フランジの形状に適合していることを特徴とするマスクシステム。
【請求項１０】
請求項８または９記載のマスクシステムにおいて、
前記連続したチャネルが、シェルおよびクッションからなる前記ユニットの異なる領域において異なる厚さを有していることを特徴とするマスクシステム。
【請求項１１】
請求項１〜１０のいずれか１項に記載のマスクシステムにおいて、
前記エルボーの肩部が、前記リング形状部材の前記環状フランジに対して当接していることを特徴とするマスクシステム。
【請求項１２】
請求項１〜１１のいずれか１項に記載のマスクシステムにおいて、
さらに、第３ヘッドギア取付ポイントと、第４ヘッドギア取付ポイントと、を具備し、
前記ヘッドギアが、前記第１ヘッドギア取付ポイント、前記第２ヘッドギア取付ポイント、前記第３ヘッドギア取付ポイント、および、前記第４ヘッドギア取付ポイントのそれぞれに対して取り付けられ得るよう構成された４つのストラップを備えていることを特徴とするマスクシステム。
【請求項１３】
請求項１〜１２のいずれか１項に記載のマスクシステムにおいて、
前記フレームが、外付け式のフレームとされていることを特徴とするマスクシステム。
【請求項１４】
請求項１〜１３のいずれか１項に記載のマスクシステムにおいて、
前記回転可能なエルボーが、通路壁と、この通路壁から離間したベント壁と、を備え、
前記ベント壁が、貫通した少なくとも１つの開口を有し、
前記少なくとも１つの開口が、前記エルボーを流れるエアの出口方向に対して傾斜していることを特徴とするマスクシステム。
【請求項１５】
請求項１〜１４のいずれか１項に記載のマスクシステムにおいて、
前記フレームが、シェルおよびクッションからなる前記ユニットに対して係合する後方突出リブを有していることを特徴とするマスクシステム。
【請求項１６】
請求項１〜１５のいずれか１項に記載のマスクシステムにおいて、
さらに、シェルおよびクッションからなる前記ユニットと前記フレームとを固定するための固定機構を具備していることを特徴とするマスクシステム。
【請求項１７】
請求項１６記載のマスクシステムにおいて、
シェルおよびクッションからなる前記ユニットが、前記固定機構と前記フレームとの間に介装されていることを特徴とするマスクシステム。
【請求項１８】
請求項１６または１７記載のマスクシステムにおいて、
前記固定機構が、シェルおよびクッションからなる前記ユニットの一部を貫通していることを特徴とするマスクシステム。
【請求項１９】
請求項１〜１８のいずれか１項に記載のマスクシステムにおいて、
前記エルボーが、前記マスクシステム上に取り付けられた際には、回転自由とされていることを特徴とするマスクシステム。
【請求項２０】
請求項１〜１９のいずれか１項に記載のマスクシステムにおいて、
前記クッション部分が、鼻クッションあるいはフルフェイスクッションを有していることを特徴とするマスクシステム。
【請求項２１】
睡眠呼吸障害を治療するためのマスクシステムであって、
ヘッドギアと；
シェルおよびクッションからなるユニットであるとともに、使用時に患者に対してのシールを形成し、開口を有し、内部に呼吸用空間を形成する、シェルおよびクッションからなるユニットと；
シェルおよびクッションからなる前記ユニット上に取り付けられ得る形状で構成されたフレームであるとともに、患者の頭部上に前記マスクシステムを配置し得るよう、前記ヘッドギアに対して取り付けられ得る、フレームと；
リング形状部材と；
回転可能なエルボーであるとともに、シェルおよびクッションからなる前記ユニットと前記リング形状部材との双方に対して係合し得るよう構成された基端部を有している、エルボーと；
を具備していることを特徴とするマスクシステム。
【請求項２２】
請求項２１記載のマスクシステムにおいて、
前記フレームが、複数のヘッドギア取付ポイントを備え、
シェルおよびクッションからなる前記ユニットの前記開口が、それら複数のヘッドギア取付ポイントの間に位置していることを特徴とするマスクシステム。
【請求項２３】
請求項２１または２２記載のマスクシステムにおいて、
前記回転可能なエルボーが、回り継手に対して係合し得るよう構成された先端部を有し、
前記回り継手が、前記エルボーに対して係合し得るよう構成された第１端部と、前記エア供給導管に対して係合し得るよう構成された第２端部と、を有していることを特徴とするマスクシステム。
【請求項２４】
請求項２１〜２３のいずれか１項に記載のマスクシステムにおいて、
前記リング形状部材および前記フレームが、互いに同じ材料から形成されていることを特徴とするマスクシステム。
【請求項２５】
請求項２１〜２４のいずれか１項に記載のマスクシステムにおいて、
前記リング形状部材のフランジが、環状とされていることを特徴とするマスクシステム。
【請求項２６】
請求項２５記載のマスクシステムにおいて、
前記環状フランジが、対称な形状を有していることを特徴とするマスクシステム。
【請求項２７】
請求項２５または２６記載のマスクシステムにおいて、
前記回転可能なエルボーが、前記環状フランジに対して当接する肩部を有していることを特徴とするマスクシステム。
【請求項２８】
請求項２１〜２７のいずれか１項に記載のマスクシステムにおいて、
シェルおよびクッションからなる前記ユニットが、外表面から延出された少なくとも１つのフランジを有し、
この少なくとも１つのフランジが、シェルおよびクッションからなる前記ユニットを囲んでおり、
前記フレームが、シェルおよびクッションからなる前記ユニットの前記少なくとも１つのフランジの形状に適合する形状とされていることを特徴とするマスクシステム。
【請求項２９】
請求項２１〜２８のいずれか１項に記載のマスクシステムにおいて、
前記フレームが、さらに、後方突出リブを有していることを特徴とするマスクシステム。
【請求項３０】
請求項２１〜２９のいずれか１項に記載のマスクシステムにおいて、
前記フレームが、前記シェル部分の少なくとも一部をカバーされていない状態とする少なくとも１つの開口を有していることを特徴とするマスクシステム。
【請求項３１】
請求項２１〜３０のいずれか１項に記載のマスクシステムにおいて、
前記フレームが、丸められた頂点を有した三角形状とされていることを特徴とするマスクシステム。
【請求項３２】
請求項２１〜３１のいずれか１項に記載のマスクシステムにおいて、
前記フレームが、前記ヘッドギアのための開口を有した複数のヘッドギア取付ポイントを備えていることを特徴とするマスクシステム。
【請求項３３】
請求項２１〜３２のいずれか１項に記載のマスクシステムにおいて、
前記フレームが、前記ヘッドギアのための４つのヘッドギア取付ポイントを備えていることを特徴とするマスクシステム。
【請求項３４】
請求項２１〜３３のいずれか１項に記載のマスクシステムにおいて、
シール構造が、シェルおよびクッションからなる前記ユニットに設けられ、
このシール構造が、２つ以上の壁を有していることを特徴とするマスクシステム。
【請求項３５】
睡眠呼吸障害を治療するためのマスクシステムであって、
ヘッドギアと；
シェルとクッションとの組合せであるとともに、使用時に患者に対してのシールを形成し、前方開口を有した、シェルとクッションとの組合せと；
外付け式のフレームであるとともに、患者の頭部上に前記マスクシステムを配置し得るよう、この外付け式のフレームを前記ヘッドギアに対して取り付けるための複数のヘッドギア取付ポイントを備えている、外付け式のフレームと；
回転可能なエルボーであるとともに、前記前方開口に対して取り付けられ、入口と、出口と、通路壁と、この通路壁から延出されたベント壁と、を備え、前記ベント壁が、前記出口と前記入口との間において前記出口寄りに位置し、前記ベント壁が、貫通した少なくとも１つの開口を有している、回転可能なエルボーと；
を具備していることを特徴とするマスクシステム。
【請求項３６】
請求項３５記載のマスクシステムにおいて、
前記前方開口が、前記複数のヘッドギア取付ポイントの間に配置されていることを特徴とするマスクシステム。
【請求項３７】
請求項３５または３６記載のマスクシステムにおいて、
前記複数のヘッドギア取付ポイントが、前記ヘッドギアのための開口を有していることを特徴とするマスクシステム。
【請求項３８】
請求項３５〜３７のいずれか１項に記載のマスクシステムにおいて、
前記外付け式のフレームが、前記ヘッドギアのための４つのヘッドギア取付ポイントを有していることを特徴とするマスクシステム。
【請求項３９】
請求項３５〜３８のいずれか１項に記載のマスクシステムにおいて、
前記回転可能なエルボーが、回り継手に対して係合し得るよう構成された先端部を有し、
前記回り継手が、前記エルボーに対して係合し得るよう構成された第１端部と、前記エア供給導管に対して係合し得るよう構成された第２端部と、を有していることを特徴とするマスクシステム。
【請求項４０】
請求項３５〜３９のいずれか１項に記載のマスクシステムにおいて、
シェルとクッションとの前記組合せが、外表面から延出された少なくとも１つのフランジを有し、
この少なくとも１つのフランジが、シェルとクッションとの前記組合せを囲んでおり、
前記外付け式のフレームが、前記少なくとも１つのフランジの形状に適合する形状とされていることを特徴とするマスクシステム。
【請求項４１】
請求項３５〜４０のいずれか１項に記載のマスクシステムにおいて、
前記外付け式のフレームが、さらに、後方突出リブを有していることを特徴とするマスクシステム。
【請求項４２】
請求項３５〜４１のいずれか１項に記載のマスクシステムにおいて、
前記外付け式のフレームが、シェルとクッションとの前記組合せのうちのシェル部分の少なくとも一部をカバーされていない状態とする少なくとも１つの開口を有していることを特徴とするマスクシステム。
【請求項４３】
請求項３５〜４２のいずれか１項に記載のマスクシステムにおいて、
前記外付け式のフレームが、丸められた頂点を有した三角形状とされていることを特徴とするマスクシステム。
【請求項４４】
請求項３５〜４３のいずれか１項に記載のマスクシステムにおいて、
シール構造が、シェルとクッションとの前記組合せに設けられ、
このシール構造が、２つ以上の壁を有していることを特徴とするマスクシステム。
【請求項４５】
睡眠呼吸障害を治療するためのマスクシステムであって、
ヘッドギアと；
シェルとクッションとの組合せユニットであるとともに、内部に呼吸用空間を形成し、患者の顔面に対してのシールを形成し、前方開口と、この前方開口よりも後方に位置した突起と、を有し、前記突起が、前記呼吸用空間の内部を向いている、シェルとクッションとの組合せユニットと；
フレームであるとともに、患者の頭部上にシェルとクッションとの前記組合せユニットを配置し得るよう、このフレームを前記ヘッドギアに対して取り付けるための複数のヘッドギア取付ポイントを備えている、フレームと；
回転可能なエルボーであるとともに、前記突起に対して係合し、入口と、出口と、通路壁と、この通路壁から延出されたベント壁と、を備え、前記ベント壁が、前記出口と前記入口との間において前記出口寄りに位置し、前記ベント壁が、貫通した少なくとも１つの開口を有し、前記回転可能なエルボーが、取り付けられた際に、回転自由とされている、
回転可能なエルボーと；
シェルとクッションとの前記組合せユニットに対して前記フレームを固定するための固定デバイスであるとともに、シェルとクッションとの前記組合せユニットの一部が、シェルとクッションとの前記組合せユニットが前記フレームに対して固定されたときには、前記固定デバイスと前記フレームとの間に介装されるを具備していることを特徴とするマスクシステム。
【請求項４６】
請求項４５記載のマスクシステムにおいて、
前記固定デバイスが、シェルとクッションとの前記組合せユニットの一部を挿通することにより、シェルとクッションとの前記組合せユニットを前記フレームに対して固定することを特徴とするマスクシステム。
【請求項４７】
請求項４５または４６記載のマスクシステムにおいて、
前記フレームが、さらに、後方突出リブを有していることを特徴とするマスクシステム。
【請求項４８】
請求項４５〜４７のいずれか１項に記載のマスクシステムにおいて、
前記固定デバイスが、前記ヘッドギア取付ポイントとは個別のものとされていることを特徴とするマスクシステム。
【請求項４９】
請求項４５〜４８のいずれか１項に記載のマスクシステムにおいて、
前記固定デバイスが、前記フレームおよびシェルとクッションとの前記組合せユニットに対しての前記エルボーの回転を可能とすることを特徴とするマスクシステム。
【請求項５０】
請求項４５〜４９のいずれか１項に記載のマスクシステムにおいて、
前記少なくとも１つの開口が、前記出口を通してのエアの流れ方向に対して傾斜した角度を有していることを特徴とするマスクシステム。
【請求項５１】
請求項５０記載のマスクシステムにおいて、
前記傾斜角度が、３５°であることを特徴とするマスクシステム。
【請求項５２】
請求項４５〜５１のいずれか１項に記載のマスクシステムにおいて、
前記前方開口が、前記複数のヘッドギア取付ポイントの間に配置されていることを特徴とするマスクシステム。
【請求項５３】
請求項４５〜５２のいずれか１項に記載のマスクシステムにおいて、
前記フレームが、前記ヘッドギアのための２つのヘッドギア取付ポイントを有し、
前記マスクシステムが、さらに、前記ヘッドギアのための追加的な２つのヘッドギア取付ポイントを具備していることを特徴とするマスクシステム。
【請求項５４】
請求項４５〜５３のいずれか１項に記載のマスクシステムにおいて、
さらに、前記回転可能なエルボーに対して取り付けられた回り継手を具備し、
この回り継手が、エア供給導管に対して係合し得るよう構成されていることを特徴とするマスクシステム。
【請求項５５】
請求項４５〜５４のいずれか１項に記載のマスクシステムにおいて、
シェルとクッションとの前記組合せユニットが、外表面から延出された少なくとも１つのフランジを有し、
この少なくとも１つのフランジが、シェルおよびクッションからなる前記組合せユニットを囲んでおり、
前記フレームが、前記少なくとも１つのフランジの形状に適合する形状とされていることを特徴とするマスクシステム。
【請求項５６】
請求項４５〜５５のいずれか１項に記載のマスクシステムにおいて、
前記フレームが、少なくとも１つの開口を備え、
この少なくとも１つの開口を通して、シェルとクッションとの前記組合せユニットの少なくとも一部が、露出されていることを特徴とするマスクシステム。
【請求項５７】
請求項４５〜５６のいずれか１項に記載のマスクシステムにおいて、
前記フレームが、丸められた頂点を有した三角形状とされていることを特徴とするマスクシステム。
【請求項５８】
請求項４５〜５７のいずれか１項に記載のマスクシステムにおいて、
シール構造が、シェルおよびクッションからなる前記組合せユニットに設けられ、
このシール構造が、２つの壁を有していることを特徴とするマスクシステム。
【請求項５９】
請求項４５〜５８のいずれか１項に記載のマスクシステムにおいて、
前記フレームが、外付け式のフレームとされていることを特徴とするマスクシステム。
【請求項６０】
請求項４５〜５９のいずれか１項に記載のマスクシステムにおいて、
シェルとクッションとの前記組合せユニットのうちのクッション部分が、鼻クッションあるいはフルフェイスクッションを有していることを特徴とするマスクシステム。
【請求項６１】
睡眠呼吸障害を治療するためのマスクシステムであって、
ヘッドギアと；
シェルとクッションとの組合せであるとともに、前記フレームに対して連結され、内部に呼吸用空間を形成し、シェルとクッションとの前記組合せが、患者の顔面上にシールを形成し得るよう構成されたクッションと、このクッションとは反対側に配置されるとともに、中央に位置した前方開口を形成するシェルと、を備え、前記前方開口が、剛直な保持リングと隆起したリムとを有している、シェルとクッションとの組合せと；
前記保持リングに対して回転可能に直接的に連結されたエルボーであるとともに、エア流供給導管を前記マスクシステムに対して連結するための回り継手コネクタが付設された第１端部と、第２端部と、を備え、この第２端部の一部が、前記リムを超えて前記呼吸用空間内へと延出され、前記エルボーが、前記第２端部よりも基端側に少なくとも１つのアンダーカットを備え、前記少なくとも１つのアンダーカットが、前記保持リングの前記リムに対して係合する、エルボーと；
を具備していることを特徴とするマスクシステム。
【請求項６２】
請求項６１記載のマスクシステムにおいて、
前記ヘッドギアが、複数の層からなる一体部材とされていることを特徴とするマスクシステム。
【請求項６３】
請求項６１または６２記載のマスクシステムにおいて、
前記エルボーが、このエルボーの前記第１端部とこのエルボーの前記第２端部との間において９０°という曲がりを形成していることを特徴とするマスクシステム。
【請求項６４】
請求項６１〜６３のいずれか１項に記載のマスクシステムにおいて、
さらに、前記ヘッドギアを固定するための２つのヘッドギア取付ポイントを具備していることを特徴とするマスクシステム。
【請求項６５】
請求項６１〜６４のいずれか１項に記載のマスクシステムにおいて、
前記保持リングと前記フレームとが、ポリカーボネートから形成されていることを特徴とするマスクシステム。
【請求項６６】
請求項６１〜６５のいずれか１項に記載のマスクシステムにおいて、
前記エルボーが、ポリカーボネートから形成されていることを特徴とするマスクシステム。
【請求項６７】
請求項６１〜６６のいずれか１項に記載のマスクシステムにおいて、
前記保持リングと前記エルボーと前記フレームとが、互いに同じ材料から形成されていることを特徴とするマスクシステム。
【請求項６８】
請求項６１〜６７のいずれか１項に記載のマスクシステムにおいて、
前記フレームが、前記第１ヘッドギア取付ポイントと、前記第２ヘッドギア取付ポイントと、を備え、
前記マスクシステムが、さらに、第３ヘッドギア取付ポイントと、第４ヘッドギア取付ポイントと、を具備し、
前記ヘッドギアが、前記第１ヘッドギア取付ポイント、前記第２ヘッドギア取付ポイント、前記第３ヘッドギア取付ポイント、および、前記第４ヘッドギア取付ポイントのそれぞれに対して取り付けられ得るよう構成された４つのストラップを備えていることを特徴とするマスクシステム。
【請求項６９】
請求項６１〜６８のいずれか１項に記載のマスクシステムにおいて、
前記フレームが、外付け式のフレームとされていることを特徴とするマスクシステム。
【請求項７０】
請求項６１〜６９のいずれか１項に記載のマスクシステムにおいて、
前記回転可能なエルボーが、通路壁と、この通路壁から離間したベント壁と、を備え、
前記ベント壁が、貫通した少なくとも１つの開口を有し、
前記少なくとも１つの開口が、前記エルボーを流れるエアの出口方向に対して傾斜していることを特徴とするマスクシステム。
【請求項７１】
請求項６１〜７０のいずれか１項に記載のマスクシステムにおいて、
前記フレームが、シェルとクッションとの前記組合せに対して係合する後方突出リブを有していることを特徴とするマスクシステム。
【請求項７２】
請求項６１〜７１のいずれか１項に記載のマスクシステムにおいて、
さらに、シェルとクッションとの前記組合せと前記フレームとを固定するための固定機構を具備していることを特徴とするマスクシステム。
【請求項７３】
請求項７２記載のマスクシステムにおいて、
シェルとクッションとの前記組合せの一部が、前記固定機構と前記フレームとの間に介装されていることを特徴とするマスクシステム。
【請求項７４】
請求項７３記載のマスクシステムにおいて、
前記固定機構が、シェルとクッションとの前記組合せの前記一部を貫通していることを特徴とするマスクシステム。
【請求項７５】
請求項６１〜７４のいずれか１項に記載のマスクシステムにおいて、
前記エルボーが、回転自由とされていることを特徴とするマスクシステム。
【請求項７６】
請求項６１〜７５のいずれか１項に記載のマスクシステムにおいて、
前記クッションが、鼻クッションあるいはフルフェイスクッションを有していることを特徴とするマスクシステム。